(57)【要約】【課題】焼き付きによる表示画質の劣化を補正するのにあたり、高品位な補正画質を得る。【解決手段】プラズマディスプレイ装置において、表示セルごとに、蛍光体を励起させるための有効サステインパルスの累積数を計測して保持するようにされる。そして、この有効サステインパルスの累積数に応じて、セル間での発光輝度レベル差が補正されるように有効サステインパルスを印加する補正表示のための駆動が行われるように構成する。蛍光体の表示原理上、蛍光体の劣化は有効サステインパルスの累積数に対応するものである。従って、有効サステインパルスの累積数に基づいた補正表示としては、実際の蛍光体の劣化程度により忠実なものとすることが可能になる。【選択図】        図１０
2004240101.tif 000002
【特許請求の範囲】
【請求項１】
表示セルにおいて放電のための有効なパルス電圧である放電用有効パルスの印加が行われることにより、その表示セルに位置する蛍光体が励起されて可視光による表示光を放射するように形成されたディスプレイパネル部と、
上記表示光を放射させるべき上記表示セルを選択して、この選択された表示セルにおいて上記放電用有効パルスの印加が行われるように、上記ディスプレイパネル部を駆動する駆動手段と、
上記表示セルごとにおける、上記放電用有効パルスの印加数の累積値である累積パルス数を計測して、この計測結果を累積パルス数情報として得る累積パルス数計測手段と、
上記累積パルス数計測手段により得られた累積パルス数情報に基づいて推定される各セル間での輝度レベルの差が補正されるようにして、上記駆動手段による上記放電用有効パルスの印加が行われるように制御する制御手段と、
を備えて構成されることを特徴とするディスプレイ装置。
【請求項２】
上記制御手段は、
上記各表示セル間での輝度レベルの差が補正されるような蛍光体の劣化状態とするための上記放電用有効パルスの印加が行われるように制御を実行する、
ことを特徴とする請求項１に記載のディスプレイ装置。
【請求項３】
上記制御手段は、
上記各表示セル間での輝度レベルの差の補正として、カラー表現が可能な１画素を形成する所定数の表示セル間での輝度レベルの差を補正するとともに、画素単位間での輝度レベルの差を補正するための、上記放電用有効パルスの印加が行われるように制御を実行する、
ことを特徴とする請求項２に記載のディスプレイ装置。
【請求項４】
上記制御手段は、
上記各表示セル間での輝度レベルの差が補正されるような蛍光体の発光輝度レベルを生じさせるための上記放電用有効パルスの印加が行われるように制御を実行する、
ことを特徴とする請求項１に記載のディスプレイ装置。
【請求項５】
上記制御手段は、
上記各表示セル間での輝度レベルの差の補正として、カラー表現が可能な１画素を形成する所定数の表示セル間での輝度レベルの差を補正するとともに、画素単位間での輝度レベルの差を補正するための、上記放電用有効パルスの印加が行われるように制御を実行する、
ことを特徴とする請求項４に記載のディスプレイ装置。
【請求項６】
上記累積パルス数計測手段は、
各表示セルごとにおける上記累積パルス数として、或る特定の条件を満たす特定の表示セルの累積パルス数について所定の基準値により示し、この特定の表示セル以外の他の表示セルの累積パルス数は、上記基準値に対する差分値により示すようにして、上記累積パルス数情報を得るようにされている、
ことを特徴とする請求項１に記載のディスプレイ装置。
【請求項７】
表示セルにおいて放電のための有効なパルス電圧である放電用有効パルスの印加が行われることにより、その表示セルに位置する蛍光体が励起されて可視光による表示光を放射するように形成されたディスプレイパネル部を駆動するものとされ、上記表示光を放射させるべき上記表示セルを選択して、この選択された表示セルにおいて上記放電用有効パルスの印加が行われるように、上記ディスプレイパネル部を駆動する駆動手順と、
上記表示セルごとにおける、上記放電用有効パルスの印加数の累積値である累積パルス数を計測して、この計測結果を累積パルス数情報として得る累積パルス数計測手順と、
上記累積パルス数計測手順により得られた累積パルス数情報に基づいて推定される各セル間での輝度レベルの差が補正されるようにして、上記駆動手順による上記放電用有効パルスの印加が行われるように制御する制御手順と、
を実行するように構成されることを特徴とするディスプレイ装置の駆動方法。
【発明の詳細な説明】
【０００１】
【発明の属する技術分野】
本発明は、例えばプラズマディスプレイ装置などのディスプレイ装置と、このようなディスプレイ装置についての駆動方法に関する。
【０００２】
【従来の技術】
画像表示のためのディスプレイ装置として、プラズマディスプレイ装置が普及してきている。
プラズマディスプレイの表示原理としては、周知のようにして、例えば２枚のガラス基板を対向させることで形成して空間内にガスを封入したうえで、このガス内に対して電圧を印加して真空放電を起こさせる。これにより、ガラス基板の空間内においては、ガスが電離してプラズマ状態となり紫外線が放射される。ここで、ガラス基板間の空間内に蛍光体層を形成しておくと、この蛍光体層では、上記紫外線が照射されることで、所定色の可視光を放射する。このような蛍光体としてＲ，Ｇ，Ｂの３色に対応するものを形成しておき、例えばマトリクス状に形成した表示セルごとに上記した放電発光現象が得られるようにすることで、カラー画像表示が可能なプラズマディスプレイ装置が構成されることになる。
【０００３】
また、上記したようなプラズマディスプレイ装置を表示駆動する方式としては、サブフィールド方式が知られている。
サブフィールド方式は、１フィールドを、複数のサブフィールドに分割して、各サブフィールドごとに、表示セルの発光期間を制御することで、各表示セルの階調（輝度）を表現する駆動方式である。この際、１画素を形成するＲ，Ｇ，Ｂの各表示セルの階調を制御することで、画面全体の階調バランスだけではなく、１画素ごとの色再現が行われることになる。つまり、カラー画像の表現が可能となる。
【０００４】
上記もしているように、プラズマディスプレイ装置において表示される画像光は、蛍光体層から放射する可視光により得られるものであるが、この蛍光体層は、使用経過に応じて劣化することが分かっている。このような蛍光体の劣化は、真空放電によって照射される紫外線や、真空空間内において発生するイオンの衝撃などが要因となって起こる。
従って、蛍光体の劣化は、発光した累積時間が長いほど進行することになる。そして、実際の表示においては、各表示セルに対応する蛍光体の発光累積時間は均一とは成らず、これまでに表示させてきた画像に応じてばらつきが生じることになる。つまり、表示セル間での蛍光体の劣化の度合いにばらつきが生じる。
蛍光体の劣化は、発光輝度の低下として現れる。そして、上記のようにして、各表示セルごとに対応する蛍光体についての劣化にばらつきが生じるということは、蛍光体の発光輝度にばらつきが生じることになる。また、例えば１画素を形成するＲ，Ｇ，Ｂの蛍光体の間で発光輝度にばらつきが生じれば、ホワイトバランスも崩れることになる。
これにより、表示画面全体としてみた場合にも、本来は同じ輝度、色合いで表示されるべき領域について劣化の進行している部分が周囲と異なる輝度、色合いにより表示されるようにして見えるようになってくることがある。これが、いわゆる焼き付きといわれる。焼き付きが生じている場合、例えば蛍光体の劣化している領域が固定パターンとして、本来の画像に重なるようにして表示されてしまうことになるので、表示画質を劣化させるものとして以前から問題となっている。
【０００５】
焼き付きの実例としては、例えば画面サイズと表示画像のアスペクト比との関係から、映像部分の上下又は左右に黒色部分が頻繁に表示されるような場合を挙げることができる。黒色部分として表示される画像部分の蛍光体と比較すると、映像部分の蛍光体は発光累積時間が長くなる。これにより、映像部分としての表示領域と、黒色部分としての表示領域の間で、蛍光体の劣化の度合いが大幅にずれることになり、映像部分と黒色部分の境界がはっきり見えてしまうような焼き付きが生じることになる。
【０００６】
また、例えば映画などの映像ソースをよく表示させているような場合には、例えば、白色で字幕が表示される部分が、他の表示領域よりも蛍光体の発光累積時間が長くなって、固定パターン的に焼き付いてみえることになる。
そこで、上記したような焼き付きについての対策の１つとして、画像表示時において、画像の表示位置を少しずつずらす、いわゆる画素ずらしといわれる手法を採用することが知られている。このような画素ずらしによる画像表示を行えば、例えば高輝度で再現すべき画像部分を形成すべき表示セルの位置がずれていくようにされるため、特定の表示セルに対応する蛍光体のみの劣化が進行していくのを抑制することができる。つまり、焼き付きを防止するようにして画像表示を行うものである。
また、焼き付き防止対策として、表示画像の輝度を全体的に抑制するようにして表示することも知られている。
【０００７】
しかしながら、このような画素ずらし、及び表示画像の輝度低下などによる防止策では、例えば、上記しているような、映像部分と黒色部分が表示されたり、字幕が表示されたりする場合のように、ほぼ固定パターン的に高輝度の画像部分が表示されるような場合があることを考慮すると万全であるとはいえない。
つまり、画素ずらしの手法を採る場合であれば、画面上で画素ずらしが行われる範囲は小さなものであるから、たとえ画素ずらしを行ったとしても、高輝度で定常的に表示される表示セル領域が存在する可能性は高く、このような領域で焼き付きが発生しやすい。また、例えば一旦、焼き付きが目立つようになってしまうと、このような画素ずらしの手法では、この焼き付きが目立たないようにすることは難しい。
【０００８】
また、表示画像の輝度を全体的に抑制する手法を採用した場合においても、長時間にわたって累積される発光時間差によって焼き付きは生じることになるし、また、表示画像の輝度が低下してしまうことで、コントラストなどの点で不利であり、表示画像を高品質なものとすることが難しい。また、この手法によっても、既に生じた焼き付きが目立たないようにすることは難しい。
【０００９】
また、例えば焼き付きが目立ってきたような場合に、画面全体をほぼ最高輝度で一定期間発光させることで、意図的に、表示領域全体にわたって蛍光体層を劣化させ、これにより、表示セル間の劣化の進行度合いをできるだけ一様なものとするようにすることも知られている。これは、例えば全白バーニングといわれる。しかしながら、この全白バーニングの場合においても、一旦生じた焼き付きを充分に修正することはできないため、有効であるとはいえない。
【００１０】
そこで、焼き付きの対策として、映像信号が有する輝度値に基づいて表示セルごとの発光時間の累積値を算出し、この算出された発光時間の累積値に基づいて、焼き付きによる輝度むらが視覚的に認識されないように映像信号を補正して表示駆動をする構成が知られている（例えば特許文献１参照）。
この場合において、表示セルごとの発光時間の累積値は、その表示セルに対応する蛍光体の劣化の度合いに対応するものとして扱われる。つまり、表示セルごとの発光時間の累積値に、蛍光体の輝度の劣化程度を対応させているものである。
そして、このような表示セルごとの発光時間の累積値に応じて各表示セルの輝度低下を推定し、この推定された輝度低下がキャンセルされるようにして、焼き付き補正のための表示を実行するようにしている。
このような構成であれば、一旦、焼き付きが生じた場合においても、この焼き付きが目立たないようにして画像表示が行われることになる。また、蛍光体劣化に応じた輝度低下に応じて、適切な輝度、及びホワイトバランスとなることを考慮して表示駆動を行うことが可能であるから、表示画像の品位の低下を抑制することが可能である。
【００１１】
【特許文献１】
特開平１０−１４９１３３号公報
【００１２】
【発明が解決しようとする課題】
上記した表示セルの発光時間の累積値に基づいて表示補正を行う構成の場合においては、表示セルの発光時間の累積値（各表示セルごとの蛍光体の劣化程度）を求めるのにあたり、映像信号の輝度レベルを基としている。
これは、例えばサブフィールド方式による発光制御として、例えば１フィールド期間内においてどれだけの累積時間により各表示セルを発光させるのかについて、１フィールド分の映像信号の輝度レベルに対応して一義的に決定されるべきものであることを前提としている。
【００１３】
しかしながら、実際におけるプラズマディスプレイ装置の表示駆動を考慮すると、表示セルの発光時間は、必ずしも映像信号そのものが示す輝度レベルには対応していない場合がある。
具体例の１つとしてとして、次のような場合を挙げておく。
プラズマディスプレイ装置における表示駆動のための構成として、サブフィールド方式に対して、ＰＬＥ（Ｐｅａｋ  Ｌｕｍｉｎａｃｅ  Ｅｎｈａｎｃｅｍｅｎｔ）制御といわれる輝度制御が組み合わされた方式を採るものがある。
ＰＬＥ制御によっては、入力映像信号の平均輝度レベルが低いとされる領域では表示輝度を上昇させ、平均輝度レベルが高いとされる消費電力の大きな領域では表示輝度を消費電力を減少させるよう制御することとしており、これにより、コントラストの良好な表示画像が得られる。
そして、上記のようなＰＬＥ制御は、入力映像信号の平均輝度レベルに基づいて、サブフィールドごとにおける表示期間（発光期間）としての時間長を、ダイナミックに可変することによって行われる。
【００１４】
このことから、ＰＬＥ制御が組み合わされた表示駆動の場合には、或る表示セルについて、同じ輝度レベルであっても、そのときの輝度レベル平均値の違いに応じて、実際の発光時間長は変化することになる。つまり、ＰＬＥ制御を組み合わせた表示駆動の場合においては、１つの表示セルに与えられた映像信号の輝度レベルから、発光時間長を一義的に導き出すことはできないということが分かる。
【００１５】
従って、このような場合において、焼き付き対策として、先に説明した表示セルの発光時間の累積値に基づいて表示補正を行う構成を採った場合には、表示セルの発光時間の累積値が、映像信号の輝度レベルを基とするものである以上、正確性に欠けてくるということになる。正確性が低下すれば、それだけ、焼き付けの画像補正の効果も低下することになるわけであり、現状においては、より信頼性の高い焼き付け対策が求められているということがいえる。
【００１６】
【課題を解決するための手段】
そこで本発明は、上記した課題を考慮してディスプレイ装置として次のように構成する。
つまり、表示セルにおいて放電のための有効なパルス電圧である放電用有効パルスの印加が行われることにより、その表示セルに位置する蛍光体が励起されて可視光による表示光を放射するように形成されたディスプレイパネル部と、表示光を放射させるべき表示セルを選択して、この選択された表示セルにおいて放電用有効パルスの印加が行われるように、ディスプレイパネル部を駆動する駆動手段と、表示セルごとにおける、放電用有効パルスの印加数の累積値である累積パルス数を計測して、この計測結果を累積パルス数情報として得る累積パルス数計測手段と、この累積パルス数計測手段により得られた累積パルス数情報に基づいて推定される各セル間での輝度レベルの差が補正されるようにして、駆動手段による放電用有効パルスの印加が行われるように制御する制御手段とを備えて構成することとした。
【００１７】
また、ディスプレイ装置の駆動方法としては、表示セルにおいて放電のための有効なパルス電圧である放電用有効パルスの印加が行われることにより、その表示セルに位置する蛍光体が励起されて可視光による表示光を放射するように形成されたディスプレイパネル部を駆動するものとされ、表示光を放射させるべき表示セルを選択して、この選択された表示セルにおいて放電用有効パルスの印加が行われるようにディスプレイパネル部を駆動する駆動手順と、表示セルごとにおける、上記放電用有効パルスの印加数の累積値である累積パルス数を計測して、この計測結果を累積パルス数情報として得る累積パルス数計測手順と、この累積パルス数計測手順により得られた累積パルス数情報に基づいて推定される各セル間での輝度レベルの差が補正されるようにして、駆動手順による放電用有効パルスの印加が行われるように制御する制御手順とを実行するように構成することとした。
【００１８】
上記各構成によると、本発明にかかるディスプレイ装置としては、表示セルごとに位置する蛍光体が放電によって励起され、これにより蛍光体から可視光が放射されることで表示が行われるように、ディスプレイパネル部が形成されていることになる。
そのうえで本発明では、表示セルごとに上記放電を発生させるための放電用有効パルスの印加数の累積値（累積パルス数）を計測して得ることとしており、この表示セルごとの累積パルス数の情報に基づいて推定される各セル間での輝度レベルの差が補正されるようにして、上記放電用有効パルスの印加を行うようにされる。
このような構成において、蛍光体の劣化進行度が放電用有効パルスの印加数に依存するとみなしてよいとした場合には、放電用有効パルスの印加数により、表示セルごとの蛍光体の劣化進行度、つまり、可視光の発光輝度レベルの低下度を高い精度で推定できることになる。そして、このようにして推定された蛍光体における発光輝度レベルの低下度に基づいて、セル間での発光輝度レベル差（つまり劣化程度差）がキャンセル（補正）されるような、所要の放電用有効パルスの印加動作となるように制御を行うことによっては、より良好な補正結果が期待されることとなる。
【００１９】
【発明の実施の形態】
図１は、本発明の実施の形態としての表示装置であるプラズマディスプレイ装置の表示パネルの構造を示している。なお、本実施の形態としてのプラズマディスプレイ装置としては、ＡＣ型（交流型）を例に挙げることとする。表示パネルとしては、３電極構造による面放電型の構成を採る。
【００２０】
この図１に示すようにして、表示パネルの最前面に、透明の前面ガラス基板１０１が配置される。そして、この前面ガラス基板１０１の背面側に対して、電極Ｘ（１０２Ａ）及び電極Ｙ（１０２Ｂ）で対となるサステイン電極１０２が配置される。電極Ｘ（１０２Ａ）及び電極Ｙ（１０２Ｂ）は、例えば図示するようにして、所定の間隔を有して平行に配置される。この対となる電極Ｘ（１０２Ａ）及び電極Ｙ（１０２Ｂ）から成るサステイン電極１０２が、１つの行としてのラインを形成することになる。また、これら電極Ｘ（１０２Ａ），電極Ｙ（１０２Ｂ）は、それぞれ、透明導電膜１０２ａと金属膜（バス導体）１０２ｂとを組み合わせて形成される。
【００２１】
前面ガラス基板１０１の背面側に対しては、上記のようにしてサステイン電極１０２（電極Ｘ（１０２Ａ），電極Ｙ（１０２Ｂ））が配置された上で、さらに、例えば低融点ガラスから成る誘電体層１０３が配置され、この誘電体層１０３の背面側に対して、例えばＭｇＯなどによる保護膜１０４が形成される。
【００２２】
また、背面ガラス基板１０５の前面側には、アドレス電極１０７が、サステイン電極１０２（電極Ｘ（１０２Ａ），電極Ｙ（１０２Ｂ））に対して直交する方向に配置される。アドレス電極は、列としてのラインを形成する。また、隣り合うアドレス電極１０７の間には、隔壁１０６を形成するようにしている。
そして、各アドレス電極１０７が配置される背面ガラス基板上面部と、その両側の隔壁１０６の側壁部を覆うようにして、Ｒ，Ｇ，Ｂの各色の蛍光体層１０８Ｒ、１０８Ｇ、１０８Ｂが順次配列されるようにして形成される。
【００２３】
このような構造を有した上で、隔壁１０６の前面側端部が、実際には、保護膜１０４に対して当接するようにして組み合わされる。このような構造により、蛍光体層１０８Ｒ、１０８Ｇ、１０８Ｂが形成されている放電空間１０９が形成されることになる。この放電空間１０９は、真空としたうえで例えばネオン（Ｎｅ）、キセノン（Ｘｅ）、ヘリウム（Ｈｅ）などのガスが封入される。
そして、このガスが封入された放電空間１０９内で、電極Ｘ（１０２Ａ），電極Ｙ（１０２Ｂ）間での面放電が生じることで紫外線が放射され、この紫外線により蛍光体層１０８が励起されて可視光としての表示光を放射することになる。
【００２４】
図２は、上記した表示パネルの構造を前提とした駆動回路系の構成を示している。
例えば表示パネル全体としてみた場合には、サステイン電極１０２としての電極Ｘ（１０２Ａ）は、上方向から下方向にかけて水平に電極Ｘ１〜Ｘｎが配列され、電極Ｙ（１０２Ｂ）も同様にして、上方向から下方向にかけて水平に、電極Ｙ１〜Ｙｎが配列される。そして、［電極Ｘ１、電極Ｙ１］［電極Ｘ２、電極Ｙ２］・・・［電極Ｘｎ、電極Ｙｎ］の各組により１つの行方向のラインを形成する。
また、アドレス電極Ａ（１０７）は、例えば左から右方向にかけて垂直方向にアドレス電極Ａ１〜Ａｍが配列されて、列方向のラインを形成する。
そして、対となるサステイン電極（電極Ｘ１〜Ｘｎ，電極Ｙ１〜Ｙｎ）から成る行方向ラインと、アドレス電極Ａ１〜Ａｍとしての列方向のラインとの各交点が、１つのセル（表示セル）３０として形成されることになる。
【００２５】
ここでいうセル３０とは、上記のようにして、サステイン電極（電極Ｘ，電極Ｙ）とアドレス電極Ａとが交差する位置から成る表示パネルの構造体部分を指すものである。そして、このセル３０は、図１に示した表示パネルの構造に依れば、図１及び図３に示すようにして、対応して配置される蛍光体層１０８の色に応じて、Ｒのセル３０Ｒ、Ｇのセル３０Ｇ、Ｂのセル３０Ｂとが得られることになる。そして、水平方向に隣接して並ぶＲ，Ｇ，Ｂのセル３０Ｒ、３０Ｇ、３０Ｂの組により、カラー表現が可能な１つの画素３１が形成されることになる。
【００２６】
続いては、上記構造によるプラズマディスプレイ装置としての表示パネルに対する表示駆動について説明する。
本実施の形態では、いわゆるサブフィールド方式により画像表示を行うこととしている。サブフィールド方式では、図４に示すようにして、１フィールド分（＝１６．７ｍｓ）の期間を複数のサブフィールドに分割する。図４では、１フィールド期間を８つのサブフィールドＳＦ１〜ＳＦ８に分割することとしている。
ここで、各サブフィールド期間は、図示するようにして、リセット期間Ｔｒｓ、アドレス期間Ｔａｄ、サステイン期間Ｔｓとから成る。各期間の動作については後述する。
【００２７】
１フィールド期間を８つのサブフィールドに分割した場合には、各サブフィールドＳＦ１〜ＳＦ８により表現すべき輝度の相対比率について、１：２：４：８：１６：３２：６４：１２８となるようにバイナリーの重み付けを設定する。そして、この設定した重み付けに応じて、各サブフィールドＳＦ１〜ＳＦ８により表現すべき輝度を設定する。この輝度設定は、実際にはサステイン期間Ｔｓにおいて電極Ｘ，電極Ｙに対して、面放電を発生させるために印加するサステインパルス数により設定することになる。
ここで、ステインパルス数を印加する際のパルス出力周期は一定であるので、輝度の重み付けが大きいほどサステイン期間Ｔｓは長くなる。これに対して、リセット期間Ｔｒｓ、及びアドレス期間Ｔａｄの長さは、行方向ラインの総数ｎによって決まり、輝度の重みに付けにかかわらず一定となる。
そして、このようなサブフィールドＳＦ１〜ＳＦ８を利用した発光／非発光の組み合わせによっては、Ｒ，Ｇ，Ｂの各セル毎に２５６階調を表現することが可能になる。
【００２８】
図５の波形図は、１サブフィールド期間における表示駆動タイミングを示している。
先ず、１サブフィールド期間において最初の期間となるリセット期間Ｔｒｓは、直前のサブフィールド期間における発光状態の影響をキャンセルするために、水平ライン（サステイン電極）群の壁電荷の消去を行う期間である。
このためには、例えばサステイン電極Ｘ１〜Ｘｎに対して、同時に、書込パルスＰｗを印加する。この書込パルスＰｗが正極性の電位Ｖｒにまで立ち上がることにより、強度の面放電が生じて、誘電体層１０３には、大量の壁電荷が蓄積される。そして、書込パルスＰｗの立ち下がりに応じては、立ち上がり時に蓄積された壁電荷による自己放電が発生し、誘電体層の壁電荷は消失する。
なお、この図では、書込パルスＰｗと同じ出力タイミングによりアドレス電極Ａ１〜Ａｍに対して、電位Ｖａｗによる正極性のパルスＰａｗを印加している。このパルスＰａｗを印加することにより、表示パネル背面側の内壁面の帯電が抑制される。
【００２９】
続くアドレス期間Ｔａｄでは、ライン順次によりアドレッシングを行って、このサブフィールド期間におけるセル３０ごとの発光／非発光を設定する。つまり、アドレス期間Ｔａｄは、１サブフィールド期間により発光させるべきセル３０を選択する期間となる。
このために、ここではサステイン電極Ｘを接地電位（０Ｖ）に対して正極性の電位Ｖａｘを継続的に印加することで、この電位Ｖａｘによりバイアスされた状態が得られるようにする。また、サステイン電極Ｙ側は、負極性の電位Ｖｓｃによりバイアスする。
そして、この状態のもとで、サステイン電極Ｙ１〜Ｙｎに対して、負極性のスキャンパルスＰｙを順次印加していく。つまり、水平ラインについて、例えば上から下方向にかけて順次スキャンするようにして選択を行っていく。そして、スキャンパルスＰｙの印加によりライン選択が行われている期間内において、アドレス電極Ａ１〜Ａｍのうちで、その選択されたラインにおいて発光させるべきセルに対応したアドレス電極Ａに対して電位Ｖａによる正極性のアドレッシングパルスＰａを印加する。
スキャンパルスＰｙが印加されている選択中の水平ラインにおいて、アドレッシングパルスＰａが印加されたセル３０では、サステイン電極Ｙとアドレス電極Ａとの間で対向放電が発生して壁電荷が生じる。ただし、このときには、サステイン電極Ｘは、アドレッシングパルスＰａと同極性の電位にバイアスされていることから、アドレッシングパルスＰａと同極性の電位にバイアスされている。このために、サステイン電極Ｘに対しては、アドレッシングパルスＰａがうち消されることになり、サステイン電極Ｘとアドレス電極Ａとの間での放電は発生しない。
【００３０】
続くサステイン期間Ｔｓは、上記アドレス期間Ｔａｄでのアドレッシングにより発光させるべきものとして設定されたセル３０に対する発光状態を維持するための期間である。
このためには、先ず、サステイン電極Ｙ１〜Ｙｎに対して、正極性の電位Ｖｓによる所定パルス幅のサステインパルスＰｓを同時に印加する。そして、これらサステイン電極Ｙ１〜Ｙｎに対するサステインパルスの印加が終了した後に、サステイン電極Ｘ１〜Ｘｎに対して、同様にして、正極性の電位Ｖｓによる所定パルス幅のサステインパルスＰｓを同時に印加する。これらサステイン電極Ｘ１〜Ｘｎに対するサステインパルスの印加が終了した後は、同様にして、サステイン電極Ｙ１〜Ｙｎ、サステイン電極Ｘ１〜Ｘｎに対して、交互にサステインパルスＰｓを印加していくようにされる。
サステインパルスＰｓが印加されるごとに、先のアドレス期間Ｔａｄにおいて発光させるべきとして設定されたセル、つまり、壁電荷の蓄積が行われたセル３０において、サステイン電極Ｘ、サステイン電極Ｙとの間で面放電が生じる。
【００３１】
ここで、図６により、本実施の形態としての表示パネル構造を採るプラズマディスプレイ装置の発光動作について説明しておく。この図においては、本実施の形態としての構造の表示パネルにおいて、１つのセル３０に相当するとしての部位を断面図により示している。なお、この図において図１と同一部分には同一符号を付して説明を省略する。
上記のようにして、アドレス期間ＴａｄにおいてアドレッシングパルスＰａが印加されたことにより壁電荷が蓄積されたセル３０では、サステイン期間Ｔｓにおいて、サステイン電極１０２（電極Ｘ、電極Ｙ）に対して交互にサステインパルスＰｓが印加されるのに応じて面放電が生じる。この面放電は、放電空間１０９内に封入されたガスをプラズマ状態とするプラズマ放電であり、これにより、放電空間１０９内では、紫外線が放射されることになる。
そして、この紫外線の照射に反応して蛍光体層１０８からは可視光が放射される。この可視光は、蛍光体層の実際が、Ｒ蛍光体層１０８Ｒ、Ｇ蛍光体層１０８Ｇ、Ｂ蛍光体層１０８Ｂのいずれかとされていることに対応して、Ｒ，Ｇ，Ｂのいずれかの色により放射されるものとなる。
そして、この可視光は、蛍光体層１０８にて反射されるようにして、保護膜１０４、誘電体層１０３、前面ガラス基板１０１を透過して、表示光として前面側に照射されることになる。
【００３２】
上記のようにして各セル３０は、上記図６により説明した原理によって、点灯するようにして発光制御される。そして、このような点灯の動作が、先に図４及び図５により説明したサブフィールド方式による表示駆動によって行われることで、各セル３０は、１フィールド期間内において、２５６階調の範囲での所要の輝度が得られるようにして発光制御されることになる。
【００３３】
ところで、蛍光体層１０８は画像表示が行われることで経時的に劣化していく。
蛍光体層１０８の劣化は、輝度の低下として現れることから、或る固定的な表示領域部分での蛍光体層１０８について、他の領域よりも劣化が進行したような場合には、周囲の表示領域との間で輝度に差が生じて、いわゆる焼き付きという現象になる。焼き付きが生じた場合には、例えばその焼き付き部分が固定パターンとして表示画像に重なるようにして見えることになるので、表示画像の質を損なうことになって好ましくない。
【００３４】
そこで、プラズマディスプレイ装置としては、例えば、このような焼き付きによる表示画質の劣化を解消できるような構成を採ることが必要とされることになる。
ここで、蛍光体層１０８の劣化の主たる要因は、従来としても説明したように、放電空間１０９内での面放電により照射される紫外線、及びイオン化したガスの衝撃によるものである。
これは、即ち、或る単位時間において、面放電が行われた回数が多いセル３０の蛍光体層１０８ほど、劣化が進行していることを意味する。そして、面放電は、各サブフィールド期間内のサステイン期間Ｔｓにおいて、サステインパルスＰｓが印加されるごとに発生する。
なお、確認のために述べておくと、これまでの説明から分かるように、サステインパルスＰｓそのものは、各サブフィールド期間において、全セル３０に印加される。そして、或るセル３０について、サステインパルスＰｓにより面放電が行われて蛍光体層１０８が励起される有効なサブフィールドは、その直前のアドレス期間ＴａｄにおいてアドレッシングパルスＰａが印加されたサブフィールドのみとなる。つまり、サステインパルスＰｓは、直前のアドレス期間ＴａｄにおいてアドレッシングパルスＰａが印加されたセルに対してのみ、面放電を生じさせるのに有効となる。
そこで、以降においては、面放電のために有効となるサステインパルスについて、「有効サステインパルス」（放電用有効パルス）ということにする。あるいは、省略して「有効パルス」ともいう。
また、例えば１フィールド期間を単位時間として考えた場合、この単位時間におけるセル３０ごとの有効サステインパルス数は、蛍光体層１０８を発光させるために有効とされた（アドレッシングパルスＰａが印加された）サブフィールドの組み合わせによって得られるサステインパルスの総数であるということになる。そして、この１フィールド期間における有効サステインパルスの総数が多いほど、そのフィールド画像において発光されるセル３０の輝度レベルとしては高くなる。
【００３５】
蛍光体層１０８の劣化は、蛍光体をより高輝度で、より長時間発光させるほど進行するといわれているが、上記のことから、蛍光体層１０８をより高輝度で、より長時間発光させるということは、単位時間において、有効サステインパルスをより多い回数で印加することであるとみなしてよいことになる。
【００３６】
そこで、本実施の形態としては、蛍光体層１０８の劣化度合いを、単位時間における有効サステインパルスの累積数として捉えることとした。そして、この有効サステインパルスの累積数に基づいて、表示画像における焼き付きの補正を行うように構成する。以下、このための構成について説明していくこととする。
【００３７】
図７は、本実施の形態のプラズマディスプレイ装置における、焼き付き補正のための動作機能をブロック図として示している。
表示状態判別部１では、現在、ディスプレイ部５において画像表示を実行中であるか否かについての判別を行う。ここでのディスプレイ部５は、例えば図１及び図２に示したプラズマディスプレイパネル、及び各電極ドライバ（アドレス電極ドライバ２１、電極Ｘドライバ２２、電極Ｙドライバ２３）等を備えて成る。
そして、画像表示を実行中である場合において、パルスカウント部２において、ディスプレイ部５としてのプラズマディスプレイパネルを形成している各セル３０ごとについての、有効サステインパルス数を計測する。このようにしてパルスカウント部２により計測された有効サステインパルス数は、例えば、逐次、累積的に加算された上で、保持されるようになっている。このようにして、これまでの有効サステインパルス数の累積値（累積有効サステインパルス数）が常に取得されるようになっている。
【００３８】
補正判別部３は、焼き付きの補正のための補正表示を実行すべきか否かを判別する部位とされる。例えば、本実施の形態のプラズマディスプレイ装置として、ユーザの操作によって、いわゆるバーニングといわれる焼き付き補正のための表示を実行させることができるようになっている場合には、このユーザ操作による焼き付き補正表示の指示が行われたか否かを判別することで、補正表示を実行すべきか否かを判別するようにされる。
また、補正表示を実行すべきか否かの判別を、自動的に実行することも考えられる。例えば、上記パルスカウント部２により得られる累積有効サステインパルス数を所定タイミングで参照して、各セル３０の累積有効サステインパルス数の大小関係について、或る所定の条件を満たしている場合に、焼き付き補正が必要であると判定して、補正表示を実行すべきとの判別を行うようにするものである。
【００３９】
補正表示制御部４では、補正判別部３により補正表示を実行すべきとの判別結果が得られるのに応じて、焼き付きによる輝度むらを補正するための補正表示がディスプレイ部５において実行されるように制御する。
ここでの補正表示としては、おおきくは、２つの手法が考えられる。
１つには、いわゆるバーニングにより物理的に蛍光体層１０８を発光させて、劣化の進行しているセル３０の蛍光体層１０８に、劣化の進行していないセル３０の蛍光体層１０８の劣化度合いを合わせ込むようにするものである。これにより、補正後は、セル３０間での輝度レベルの差が解消され、焼き付きのない画像表示が行われることになる。
また１つには、実際に入力映像信号に基づいた画像表示を実行している際において、焼き付きによる輝度むら（及び色むら）がキャンセル（補正）されるように、各セル３０の輝度レベル（つまり蛍光体層１０８の発光輝度）をダイナミックに調整していきながら表示制御を実行するものである。
そして、上記した何れの補正表示にあっても、本実施の形態では、先に説明したようにして保持している、各セル３０の累積有効サステインパルス数を基にバーニング、若しくは画像表示のための輝度パターン（サブフィールドの組み合わせパターン）を設定し、この設定された輝度パターンにより画像表示を実行するようにされる。
【００４０】
図８は、本実施の形態のプラズマディスプレイ装置のハードウェア構成として、主として表示補正に関連する部位を示している。また、この図８においては上記図７に示した各機能部との対応を破線により括って示している。図８により、上記した各機能部としての動作を、ハードウェアとしての動作に基づいてより詳細に説明する。
【００４１】
先ず、図８を参照して、入力映像信号に応じた画像表示の基本動作について説明しておく。
映像信号は、パネルドライバ１２に対して入力される。パネルドライバ１２は、入力される映像信号をデコードして、例えばフィールド画像単位ごとに、各Ｒ，Ｇ，Ｂセルにおける輝度レベルを示す表示データを生成し、この表示データをディスプレイ部１４のＰＬＥ部１４に対して出力する。
【００４２】
ＰＬＥ部１４は、入力される表示データに基づいて、ＰＬＥ（Ｐｅａｋ  Ｌｕｍｉｎａｃｅ  Ｅｎｈａｎｃｅｍｅｎｔ）制御という輝度制御を実行する。
ＰＬＥ制御としては、入力された表示データから、例えばフィールド画像単位ごとに平均輝度レベルを演算する。そして、演算した映像信号の平均輝度レベルに基づいて、予め設定されたＰＬＥ特性に基づいて輝度レベルの変換を行う。このＰＬＥ特性によっては、映像信号の平均輝度レベルが低いとされる領域では、そのレベルに応じて表示輝度を所定量上昇させ、平均輝度レベルが高いとされる消費電力の大きな領域では、そのレベルに応じて表示輝度を消費電力を減少させるように、輝度を所定量低下させるようにして、各Ｒ，Ｇ，Ｂセルの表示輝度レベルの特性が設定される。
そして、このようにして設定された輝度レベルの特性に基づいて、各Ｒ，Ｇ，Ｂセルについての、実際の発光制御によって表示させるべき輝度が決定される。例えば、サブフィールド方式として、図４に示した２５６階調表現の方式を採用するのであれば、各Ｒ，Ｇ，Ｂセルについて、階調０〜２５５までの何れかの輝度が設定されることになる。このようにして各Ｒ，Ｇ，Ｂセルの輝度を設定するということは、各Ｒ，Ｇ，Ｂセルについて、１フィールド期間内における輝度パターン（発光制御すべきサブフィールド期間の組み合わせ）を設定することとなる。
【００４３】
そして、ディスプレイ部５のディスプレイコントローラ１３は、このようにして決定された輝度パターンに基づいて、プラズマディスプレイパネルに対する表示駆動を制御する。つまり、例えば図２に示した各電極ドライバ（アドレス電極ドライバ２１、電極Ｘドライバ２２、電極Ｙドライバ２３）が、対象の電極に対して所要のタイミングで電圧印加を行うように、これらの電極ドライバの動作制御を実行する。
このような動作がフィールド周期ごとに実行されることで、ディスプレイ部５におけるプラズマディスプレイパネル上では、入力映像信号に応じた画像が表示されることになる。また、このときに表示される画像は、ＰＬＥ制御により輝度設定されたセル群により表示されるものとなる。そして、このようにしてＰＬＥ制御によって表示される画像としては、よりコントラストが向上されたものとなる。
【００４４】
そして、上記した基本的な画像表示動作に対して、次に説明するようにして、本実施の形態としての焼き付き補正のための構成が組み合わされる。
先ず、図２に示した表示状態判別部１としての機能は、パネルドライバ１２に入力される映像信号の有無を、メインコントローラ１０が判別することで行われる。
また、メインコントローラ１０は、例えばマイクロコンピュータなどにより構成され、本実施の形態のプラズマディスプレイ装置における全体の動作制御を実行する。このメインコントローラ１０には、データが書き換え可能であり、かつ、電源供給が停止しても記憶内容が保持されるＥＥＰＲＯＭ１１が接続されている。この場合、このＥＥＰＲＯＭ１１には、パルスカウント部２としての動作により計測された有効サステインパルス数を累積した、セル３０ごとの累積有効サステインパルス数が記憶保持されるようにして格納される。なお、ここでは、ＥＥＰＲＯＭ１１に記憶される累積有効サステインパルス数については、「補正前累積有効パルス数」ということにして、後述するようにして電源起動中において一時的にＲＡＭ１６に保持される有効サステインパルス数である、「起動後累積有効パルス数」と区別する。
【００４５】
パルスカウント部２としての動作は、例えば図示するようにして、ディスプレイ部５において備えられるディスプレイコントローラ１３が、パルス数参照テーブル１５、及びＲＡＭ１６を利用することで得られる。
本実施の形態のディスプレイコントローラ１３は、例えば今回の電源起動後から現在までにおいて実行された画像表示に際して、各セル３０において印加された有効サステインパルスの数を累積的に計測しており、その計測値を、「起動後累積有効パルス数」として、ＲＡＭ１６に書き込んで保持するようにしている。
【００４６】
ここで、本実施の形態のプラズマディスプレイ装置では、前述のようにして、入力映像信号の平均輝度レベルに応じてＰＬＥ制御された画像が表示される。つまり、所定のＰＬＥ特性によって、入力映像信号が示す各Ｒ，Ｇ，Ｂセルの輝度レベルがダイナミックに変換された上で、画像表示が行われる。これは、例えば、入力映像信号が或る同位置のセルについて同じ輝度レベルを示していたとしても、そのフィールドにおける平均輝度レベルに応じて、表示のために実際に設定される輝度レベルは異なる場合があることを示している。
従って、ディスプレイコントローラ１３では、このＰＬＥ制御結果に応じて決定された各セルの輝度レベルに応じた有効サステインパルス数を計測する必要があることになる。このために、ディスプレイコントローラ１３は、有効サステインパルス数を計測するのにあたり、パルス数参照テーブル１５を参照することとしている。
【００４７】
先のＰＬＥ部１４についての説明によると、例えば１フィールド期間ごとに算出した平均輝度レベルに基づいて、実際に各Ｒ，Ｇ，Ｂセル１０８に設定すべき輝度レベル、つまり、発光制御に有効なサブフィールドの組み合わせが決定される。
パルス数参照テーブル１５には、例えば入力映像信号が示す各Ｒ，Ｇ，Ｂセルの輝度レベルと、予め設定されたＰＬＥ特性により決定される実際の各Ｒ，Ｇ，Ｂセルの表示輝度レベルに対応する有効サステインパルス数とが対応付けられた情報が格納されている。このパルス数参照テーブル１５において格納される有効サステインパルス数は、例えば輝度レベルに応じて設定された、１フィールド期間内において面放電が有効なサブフィールドの組み合わせに応じて決まる、有効サステインパルスの総数となる。
ディスプレイコントローラ１３は、ＰＬＥ部１４に入力された表示データから、入力映像信号が示す各Ｒ，Ｇ，Ｂセルの輝度レベルの情報を取得する。そして、この取得した輝度レベルの情報と対応付けられている有効サステインパルス数を読み出して、これまでに「起動後累積有効パルス数」としてＲＡＭ１６に書き込まれている、各セル位置ごとの有効サステインパルス数に加算する。そして、この加算処理により得られた各セル位置ごとの有効サステインパルス数を、新規な起動後累積有効パルス数としてＲＡＭ１６に対する書き換え処理を実行するものである。
【００４８】
この起動後累積有効パルス数は、例えば図９に示す構造によりＲＡＭ１６に保持される。
先ず、図１に示した構造によるプラズマディスプレイパネルにおいて形成される画面は、図９（ａ）に示すようにして、セル３０がマトリクス状に配列されたものとなる。そして、ライン数ｎによる行方向のラインについて、上から下にかけてＬ１〜Ｌｎとし、ライン数ｍによる列方向のラインを左から右にかけてＣ１〜Ｃｍとすると、各セル３０の位置は、Ｌ１〜ＬｎとＣ１〜Ｃｍの組み合わせによって表されることになる。例えば、１行目／１列目の位置のセル３０は（Ｌ１，Ｃ１）により表されることになり、また、３行目／２列目の位置のセル３０は、（Ｌ３，Ｃ２）により表される。
【００４９】
そして、ＲＡＭ１６においては例えば図９（ｂ）に示すようにして、セルの位置（Ｌ１，Ｃ１）、（Ｌ１，Ｃ２）・・・（Ｌｎ，Ｃｍ−１）（Ｌｎ，Ｃｍ）に対応させて、そのセルにおける起動後累積有効パルス数としての値を格納して保持するようにされる。
【００５０】
また、上記図９（ｂ）に示す、ＲＡＭ１６に格納すべき起動後累積有効パルス数としての値は、各セル位置ごとに、実際の累積値をカウントして保持するようにしてもよい。
しかしながら、本実施の形態では、このＲＡＭ１６に格納すべき起動後累積有効サステインパルス数の実際として、基準値を有する特定のセル３０を設定することとする。例えば、ここでは基準値を有すべきセル３０を特定するための条件として、累積有効サステインパルス数が最大値であることとする。
この場合においては、例えば、累積有効サステインパルス数が最大とされるセル３０については、基準値として‘０’を格納することとする。また、他のセル３０については、累積有効サステインパルス数について上記基準値に対する差分値を求める演算を行い、この差分値を格納すべき累積有効サステインパルス数として扱うようにされる。
【００５１】
本実施の形態の累積有効サステインパルス数は、表示補正のために利用されるものであるが、この際には、セル間の蛍光体層１０８の劣化度合いの相対的な差に応じた補正を行うことになる。つまり、累積有効サステインパルス数の差に応じた補正となる。従って、上記のようにして、累積有効サステインパルス数の差としての情報を起動後累積有効パルス数として扱って格納したとしても、この情報を参照しての補正動作に支障はない。
また、ＲＯＭ１６に対して起動後累積有効パルス数として、単純に実際の累積値を格納する場合よりも、例えば、各セル位置ごとの累積有効パルス数を表現するためのビット数（データサイズ）を小さなものとすることができるので、ＲＯＭ１６の記憶容量を節約して使用することが可能になる。
【００５２】
なお、ここでは基準値をとるセル３０の条件として、累積有効サステインパルス数が最大値をとるものであることとしているが、これはあくまでも一例である。例えば、逆に、累積有効サステインパルス数が最小値をとるものとしてもよい。また、特定の位置に在るものを基準値をとるセル３０であることとして、他の位置のセルについて、この特定位置のセル３０に設定された基準値に対する差分値を格納することとしてもよい。この点では、後述するようにしてＥＥＰＲＯＭ１１に記憶保持される補正前累積有効パルス数の情報についても同様である。
【００５３】
ここで、例えば今回の電源起動後において、電源がオフ状態に切り換えられたとする。
電源がオフに切り換えられるタイミングでは、これまでＲＡＭ１６に保持されている起動後累積有効パルス数の情報を、ディスプレイコントローラ１３が読み出して、メインコントローラに１０に転送する。
【００５４】
メインコントローラ１０には、前述のようにしてＥＥＰＲＯＭ１１が接続されており、このＥＥＰＲＯＭ１１には、補正前累積有効パルス数の情報が記憶されている。
このＥＥＰＲＯＭ１１に記憶される補正前累積有効パルス数の情報は、各セルごとの累積有効パルス数として、バーニングによる表示補正が最後に行われて以降の各セルの有効サステインパルス数が累積された値が格納される。
このＥＥＰＲＯＭ１１に記憶される補正前累積有効パルス数の情報としても、例えば図９により説明した構造により格納されるものとされればよく、また、各セル位置に対応して格納される補正前累積有効パルス数の値としても、ＲＯＭ１６に保持される起動後累積有効パルス数と同様にして、補正前累積有効パルス数が最大となるセルの値を基準値（例えば‘０’）として、他のセルについては、この基準値に対する差を示す値を格納するようにされればよい。
【００５５】
そして、メインコントローラ１０では、転送されてきた起動後累積有効パルス数の情報を、既にＥＥＰＲＯＭ１１に格納されている補正前累積有効パルス数の情報に対して加算する処理を含めて、新規の補正前累積有効パルス数の情報を生成するための処理を実行する。なお、この際には、例えば先ず、上記した加算処理の結果により、補正前累積有効パルス数が最大となるセル位置を特定し、このセル位置の補正前累積有効パルス数に基準値を設定する。そして、他のセル位置に格納すべき値として、セル位置ごとに、この基準値に対する差分値を新規に算出する。そして、これらの新規な基準値、及び差分値を、セル位置ごとに対応させて、ＥＥＰＲＯＭ１１における補正前累積有効パルス数の情報を書き換えるようにされる。
このようにして、ＥＰＲＯＭ１１における補正前累積有効パルス数の情報としては、常に、最後のバーニングによる補正表示後から前回の電源起動中における画像表示により得られる、各セルの累積有効サステインパルス数の情報が格納されることとなる。
なお、例えばバーニングによる補正表示が行われるのに応じて、このＥＥＰＲＯＭ１１に格納されている全セルについての補正前累積有効パルス数の情報は、初期値にリセットされる。また、先に説明したＲＡＭ１６に保持される起動後累積有効パルス数の情報も、バーニングによる補正表示が行われるのに応じてリセットされることになる。
【００５６】
また、メインコントローラ１０は、補正判別部３としての機能も有している。つまり、例えばユーザによる表示補正指示の操作、若しくはメインコントローラ１０における自動による補正判別処理結果などに応じて発生される表示補正実行コマンドに応じて、メインコントローラ１０では、例えばバーニングによる補正表示を実行すべきであると判別する。
【００５７】
続いては、上記図８に示した本実施の形態のプラズマディスプレイ装置の構成の下での、バーニングによる補正表示のための処理動作例について、図１０のフローチャートを参照して説明する。
なお、この図に示す処理動作としては、補正表示実行の指示は、ユーザによる操作によって行われる場合を例に挙げることとする。また、この図に示す処理は、図８の場合であれば、メインコントローラ１０と、ディスプレイコントローラ１３が連係して実行するものとされる。
【００５８】
先ず、ステップＳ１０１においては、現在の電源状態を認識した上で、メイン電源がオンとなっているか否かについて判別することとしている。そして、メイン電源がオン状態にある限りは、ここで肯定結果が得られてステップＳ１０２に進むことになる。
【００５９】
ステップＳ１０２においては、メイン電源起動時に実行すべきセットアップ動作が完了しているか否かについて判別している。但し、ここで判別すべきセットアップ動作としては、この図に示す処理が補正表示に関するものであることから、ＥＥＰＲＯＭ１１からの補正前累積有効パルス数の情報の読み込みに限定している。
ステップＳ１０２において、セットアップ動作として、ＥＥＰＲＯＭ１１からの補正前累積有効パルス数の情報の読み込みが完了していないとして否定の判別結果が得られた場合には、ステップＳ１０３に進んで、補正前累積有効パルス数の情報をＥＥＰＲＯＭ１１から読み込んで、例えばメインコントローラ１０内部のＲＡＭに格納する処理を実行してから、ステップＳ１０４の処理に進む。なお、ＥＥＰＲＯＭ１１から読み込んだ補正前累積有効パルス数の情報は、ＲＡＭ１６に書き込んで、ここに保持させるようにしてもよい。
これに対して、ステップＳ１０２において、セットアップ動作が完了しており。補正前累積有効パルス数の情報の読み込みも完了している状態である場合には肯定結果が得られて、そのままステップＳ１０４に進む。
【００６０】
ステップＳ１０４においては、現在、ディスプレイ部５に対して画像を表示している状態であるか否かについて判別する。この処理は、図７及び図８における表示状態判別部１としての動作に相当する。
ここで、画像を表示している状態ではないとして否定結果が得られた場合にはＳ１０１の処理に戻ることとなる。これに対して、画像表示状態であるとして肯定結果が得られた場合にはステップＳ１０５の処理に進むことになる。
【００６１】
ステップＳ１０５においては、現在、画像を表示出力中であることに対応して、起動後累積有効パルス数を計測し、この計測結果をＲＡＭ１１に保持させるための処理を実行する。このステップＳ１０５の処理は、図８にて説明したパルスカウント部２としての処理となる。
【００６２】
次のステップＳ１０６においては、補正表示実行コマンドが発生したか否かについて判別している。このステップＳ１０６の処理は、補正判別部３としての処理となるもので、図８にても示しているように、メインコントローラ１０が、補正表示実行コマンドを入力することで、補正表示を実行すべきであると判別することになる。
例えばこの場合、ユーザが特に補正表示実行のための操作を行わない限りは、補正表示実行コマンドは発生しないので、このステップＳ１０６では否定結果が得られることとなって、ステップＳ１０１の処理に戻るようにされる。なお、このステップＳ１０６からステップＳ１０１に戻るルーチンは、例えば、入力映像信号の垂直ブランキング信号ごとのタイミング、つまり、フィールド画像周期で行われる。
【００６３】
また、ステップＳ１０１において、例えばメイン電源がオンからオフに切り換えられたとして、ステップＳ１０１において否定の判別結果が得られた場合には、ステップＳ１１３の処理に進む。
ステップＳ１１３では、先に図８においても説明したように、これまでにＲＡＭ１１に書き込まれて保持されている起動後累積有効パルス数の情報と、現在、メインコントローラ１０に読み込まれている、今回の電源起動前の累積有効パルス数の情報である、補正前累積有効パルス数の情報とにより、新規な補正前累積有効パルス数の情報を算出する。そして、次のステップＳ１１４では、ＥＥＰＲＯＭ１１に記憶されている過去の補正前累積有効パルス数の情報を、上記のようにして得られた新規な補正前累積有効パルス数の情報に書き換えるようにして、ＥＥＰＲＯＭ１１への書き込み処理を実行する。
【００６４】
そして、ユーザが表示補正実行のための操作を行うことで、表示補正実行コマンドが発生した場合には、ステップＳ１０６において肯定結果が得られ、ステップＳ１０７以降の処理に進むことになる。ステップＳ１０７〜ステップＳ１１２の処理が、補正表示制御部５としての動作に相当する。
【００６５】
ステップＳ１０７においては、先ず、これまで実行していた画像表示を停止させるための制御処理を実行する。このためには、例えばパネルドライバ１２に対する映像信号入力を停止させると共に、ディスプレイ部５における表示のための駆動動作を停止させるようにする。
そして、続くステップＳ１０８においては、バーニングによる補正表示のために、各セルごとに印加すべき補正用サステインパルス数を算出するための処理を実行する。
【００６６】
このためには、今回のメイン電源起動時のセットアップ動作によりＥＥＰＲＯＭ１１から読み込んでいる補正前累積有効パルス数の情報と、現在時点までにおいて、ＲＡＭ１６に保持されていた起動後累積有効パルス数の情報とを利用する。
つまり、各セルごとに、補正前累積有効パルス数に対して起動後累積有効パルス数を加算する。この加算結果から、例えば先ず、現時点において累積有効サステインパルス数が最大値となるセルを認識し、このセルについては、基準値を設定することとする。そして、他のセルについては、上記加算結果により得られた値を、基準値との差分値に変換するための演算処理を行う。このようにして得られた、各セルの値が、即ち、補正用サステインパルス数に応じたものとなる。
そして、このようにして得られた各セルごとの補正サステインパルス数は、最も劣化程度が進行しているとされるセルの蛍光体層についての、その劣化程度に応じた発光輝度レベルに対して、他の各セルの蛍光体層の発光輝度が同等となるように、各セルの蛍光体層を励起させる回数に対応していることになる。
【００６７】
ただし、本実施の形態のようにして、フルカラー画像表示のためにＲ，Ｇ，Ｂの各蛍光体層１０８を備えた構成の下では、Ｒ，Ｇ，Ｂの蛍光体層ごとに、例えばその材質に応じて、劣化特性（劣化の進行度、劣化程度に応じた発光輝度レベルの低下量）が異なることが分かっている。つまり、同じ累積サステインパルス数であっても、Ｒ，Ｇ，Ｂの各蛍光体層の発光輝度の低下量は同程度ではない。また、これは、劣化が進行するのに応じて、高い確率でホワイトバランスが不適正になっていくということも示している。
従って、Ｒ，Ｇ，Ｂセルの別にかかわらず、単純に累積有効パルス数を基準として、補正用サステインパルス数を求め、これによりバーニングによる補正表示を行ったとしても、補正後において、各セルにおけるサステインパルス数に差は生じなくなるものの、実際には適正なホワイトバランスが設定されていないために、色むらが生じることになる。つまり、焼き付け画像の補正としては、不完全なものとなる。
【００６８】
そこで、本実施の形態では、上記ステップＳ１０８における基準値との差分値に変換するための演算処理を実行するのにあたって、Ｒ，Ｇ，Ｂセルごとに、その蛍光体層の劣化特性を加味して、実際の差分値を算出するようにされる。
Ｒ，Ｇ，Ｂの各蛍光体層の劣化特性は、例えば上記もしているように蛍光体層に用いられる材質によって決まるので、実験などにより、サステインパルス数に応じた劣化傾向を把握しておくことが可能である。そして、このサステインパルス数に応じた劣化傾向に基づいてＲ，Ｇ，Ｂセルごとに加味すべきＲＧＢバランス補正値を記憶させておき、このＲＧＢバランス補正値によりステップＳ１０６における差分値の演算処理を実行する構成を採る。
このようにして設定されたサステインパルス数によっては、例えば１画素内におけるＲ，Ｇ，Ｂセル間での輝度差が補正されるようにして、蛍光体層１０８の劣化程度の合わせ込みが行われる。これにより、各画素ごとに適正なホワイトバランス設定の下でのカラー表現が行われることになる。さらに、これと共に、画素間での輝度レベル差も補正されるようにして、セル３０についての劣化程度の合わせ込みも行われるようにされるので、画像全体としても、輝度むら、色むらが解消されることになる。
【００６９】
続くステップＳ１０９では、補正用サステインパルス数に基づいて、各セルについての補正用輝度パターンを設定する。この場合の補正用輝度パターンとしては、例えば、図４に示したようなサブフィールド方式による表示駆動を前提として決定するようにすればよい。
そして、次のステップＳ１１０により、補正表示を実行させる。つまり、上記ステップＳ１０９により得られた補正用輝度パターンにより、ディスプレイ部５における各電極ドライバ（アドレス電極ドライバ２１、電極Ｘドライバ２２、電極Ｙドライバ２３）を制御して、所要のパターンにより各電極が駆動されるようにする。
そして、この補正表示が終了した段階においては、各セルに対して補正に応じた所要数の有効サステインパルスが印加されていることとなって、各セル間での蛍光体層の劣化度合いの合わせ込みが行われ、輝度むら、色むらは解消されていることになる。
【００７０】
そして、上記ステップＳ１１０による補正表示が終了したとされると、次のステップＳ１１１により、これまでＲＡＭ１６に保持されていた起動後累積有効パルス数の情報をクリア（初期値にリセット）する。また、続くステップＳ１１２により、これまでＥＥＰＲＯＭ１１に記憶保持しているとされる補正前累積有効パルス数の情報もクリアして、ステップＳ１０１の処理に戻るようにされる。
【００７１】
ただし、上記ステップＳ１１２における実際の処理として、この段階では、メインコントローラ１０に読み込まれている補正前累積有効パルス数の情報のみをクリアして、ＥＥＰＲＯＭ１１の補正前累積有効パルス数の情報をクリアしないこととしてもよい。
仮に、今回のステップＳ１１２の処理後において、メイン電源がオフとなる前に再び補正表示を実行すべきことになったとしても、この際には、ステップＳ１０８にて説明したように、メインコントローラ１０の内部ＲＡＭに保持されている起動後累積有効パルス数の情報が、補正サステインパルス数の算出に用いられるのであり、ＥＥＰＲＯＭ１１の起動後累積有効パルス数の情報は用いられない。
そして、後述するようにして最終的にメイン電源がオフとされたときに、この時点でＲＡＭ１６に保持されている起動後累積有効パルス数の情報に基づいて、ＥＥＰＲＯＭ１１の補正前累積有効パルス数の情報は書き換えが行われることになる。この時点で、ＥＥＰＲＯＭ１１の補正前累積有効パルス数の情報は適正な内容となるものである。
【００７２】
上記図１０に示した処理動作は、補正表示実行のトリガとして、ユーザ操作による補正表示指示であることとしていた。しかしながら、本実施の形態における補正表示のトリガとしては、先にも述べたように、補正判別部３の動作として、ユーザ操作による指示以外に、現在の累積有効パルス数の情報に応じて、補正表示を実行すべきか否かを自動判別し、この判別結果に応じて自動的に補正表示を実行させるように構成することも考えられる。
このための処理動作を図１１に示す。この図に示す処理も、メインコントローラ１０と、ディスプレイコントローラ１３が連係して実行するものとされる。
この図に示す処理においては、先ず、ステップＳ２０１の処理により、所定タイミングでＥＥＰＲＯＭ１１から、補正前累積有効パルス数の情報を読み込む。
【００７３】
ここで、本実施の形態のプラズマディスプレイ装置では、図１及び図３により示したように、例えば行方向に隣接して配置されるＲ，Ｇ，Ｂセル（３０Ｒ，３０Ｇ，３０Ｂ）の組により１つの画素３１を形成する。つまり、画素３１ごとにフルカラーとしての色再現が行われることとなっている。
従って、この画素３１ごとにおけるＲ，Ｇ，Ｂセルごとの累積有効パルス数の大小関係として、Ｒ，Ｇ，Ｂ各蛍光体層（１０８Ｒ，１０８Ｇ，１０８Ｂ）の劣化特性を考慮したオフセット値を与えたうえで、予め設定した閾値以上の差が生じている場合に、焼き付きが生じたとみなすことができることになる。
【００７４】
ステップＳ２０２では、上記閾値の比較対象となる画素単位ごとのＲ，Ｇ，Ｂセル間の累積有効パルス数の大小関係を認識するようにされる。具体的な処理としては、例えば、基本的には、Ｒ，Ｇ，Ｂセル間の累積有効パルス数の差分値を、Ｒ−Ｇ＝ａ、Ｒ−Ｂ＝ｂ、Ｇ−Ｂ＝ｃとして、これらａ，ｂ，ｃの値を求めるようにすればよい。なお、上記もしているように、実際のａ，ｂ，ｃの各値については、Ｒ，Ｇ，Ｂ各蛍光体層の劣化特性を考慮したオフセット値が与えられるべきものとなる。
【００７５】
そして、次のステップＳ２０３において、上記ステップＳ２０２にて得られた各画素ごとにおけるＲ，Ｇ，Ｂセル間の累積有効パルス数の各差分値（ａ，ｂ，ｃ）について、閾値を越えている画素が存在するか否かについての判別を行うようにされる。なお、上記差分値ａ，ｂ，ｃを算出するときにＲ，Ｇ，Ｂ各蛍光体層の劣化特性を考慮するのに代えて、この閾値について、Ｒ，Ｇ，Ｂ各蛍光体層の劣化特性を考慮して設定した値としても、ステップＳ２０３では適正な判別結果が得られることになる。
ここで、例えばステップＳ２０３において否定結果が得られた場合には、特に焼き付きによる輝度むら、不適正なホワイトバランスが生じている画素は存在していないことになる。この場合には、一旦この図に示す処理ルーチンを終了するようにされる。
これに対して、ステップＳ２０３において肯定結果が得られた場合には、焼き付きによる輝度むらが生じた画素が存在していることになる。そこで、この場合には、ステップＳ２０４の処理として補正表示を実行する。
このステップＳ２０４の補正表示としては、例えば先の図１０におけるステップ１０７〜ステップＳ１１２による処理を実行するようにされればよい。
【００７６】
なお、上記したステップＳ２０３における判別処理としては、Ｒ，Ｇ，Ｂセル間の累積有効パルス数の各差分値（ａ，ｂ，ｃ）について、１つでも閾値を越えている画素が存在した場合に肯定結果が得られるようにしてもよい。しかしながら、例えば、この場合には、表示画像における輝度むら、色むらがほとんど視覚的には認識できないような状況でも、頻繁に、補正表示が自動実行されることが考えられる。このような状況は、例えば消費電力やユーザの使い勝手を考えた場合に適切ではないことがある。
そこで、例えばステップＳ２０３における判別処理としては、Ｒ，Ｇ，Ｂセル間の累積有効パルス数の各差分値（ａ，ｂ，ｃ）について閾値を越える画素が一定の複数以上存在した場合に、肯定結果が得られるようにしてもよい。さらには、このような画素が、焼き付きが目立っていることが推定される程度に、領域サイズの範囲内で一定数以上となっていることが判別された場合に、肯定結果が得られるようにすることも考えられる。
つまり、ステップＳ２０３の判別処理の基準としては、実際に焼き付きを補正する必要があるとされる状況に応じて適宜変更されてよいものである。
【００７７】
ところで、上記図１１に示す処理を実際に実行させる機会、タイミングとしてはいくつか考えられるが、例えば、メイン電源がオフとされた後の一定時間後に自動的に実行させるようにすることが妥当である考えられる。つまり、メイン電源がオフの状態のもとで実行させるようにすることが好ましい。
つまり、この場合にはバーニングを自動実行させるのであるから、メイン電源がオン状態にあるときに実行可能とすると、突然に入力映像信号に基づく表示画像が消えて、かわりにバーニングのための画像が表示されることになり、好ましくない場合のあることが考えられるからである。
もちろんのこと、図１１に示す処理を、例えば画像表示中に実行可能に構成することも可能である。
この場合には、ステップＳ２０１→Ｓ２０２の処理として、既にメインコントローラ１０が読み込んだ補正前累積有効パルス数の情報と、現時点においてＲＡＭ１６に保持されている起動後累積有効パルス数の情報とを取得して、これらの情報に基づいて、各画素のＲ，Ｇ，Ｂセル間での累積有効パルス数の差分値を求めるようにすることが、正確な結果が得られて好ましい。
【００７８】
ここで、上記図１０及び図１１により説明した表示補正は、何れもバーニングといわれる表示により、積極的に所要の蛍光体層の劣化を進行させることで、表示パネル全体として、蛍光体層の劣化が一律となるようにする補正である。
しかしながら、累積有効パルス数の情報に基づく本実施の形態の補正表示としては、上記したバーニング以外に、例えば、実際に画像表示を実行している場合において、輝度むら、色むらが生じないように、各セルの輝度の階調をコントロールする表示画像補正を実行させることも可能である。
【００７９】
このための動作手順を、図１２によりフローチャートとして示す。なお、この図１２に対応する本実施の形態のプラズマディスプレイ装置の構成としては、基本的に図８と同様であればよい。但し、この場合には、バーニングのための補正表示を実行させるか否かを判別するための補正判別部３としての構成は特に必要はないこととなる。
【００８０】
ここで、画像表示が開始されたとすると、プラズマディスプレイ装置ではステップＳ３０１の動作を実行する。なお、ステップＳ３０１の動作を最初に開始する段階では、起動時セットアップとしてＥＥＰＲＯＭ１１からメインコントローラ１０への補正前累積有効パルス数の情報の読み込みは完了しているものとする。
そして、ステップＳ３０１では、上記メインコントローラ１０にて読み込まれている補正前累積有効パルス数と、現在時点においてＲＡＭ１６に保持されている起動後累積有効パルス数の情報とに基づいて、現在時点での各セル間の累積有効パルス数の差分値を算出するようにされる。つまり、各セルについての補正前累積有効パルス数と、現在の起動後累積有効パルス数との情報を加算することで、現在における各セルごとの正確な累積有効サステインパルス数を得ることができる。そして、この累積有効サステインパルス数に基づいて、現在時点での各セル間の累積有効パルス数の差分値を算出する。
この差分値の算出処理としても、基本的には、例えば基準となるセルの累積有効パルス数の基準値に対する、他のセルの累積有効パルス数の差分値を得ることで求めることができる。
【００８１】
そして、続くステップＳ３０２においては、上記ステップＳ３０１において得られた算出結果に基づいて、各セルにおいて設定すべき１フィールド分の実際の輝度レベルを設定する。この際に設定される輝度レベルは、ステップＳ３０１において得られた算出結果に応じて推定される、各セルごとの輝度レベルの差分に応じて、この輝度レベルの差分がキャンセルされるようにして、例えば各セルが本来の輝度レベルにより発光されるようにして設定されるものである。また、この際も、Ｒ，Ｇ，Ｂの各蛍光体層の劣化特性を考慮した上で、適正なホワイトバランス（色合い）による表示となることを考慮した輝度レベル設定が行われる。
従って、各セルについての輝度レベルの設定は、例えば１画素を構成するＲ，Ｇ，Ｂセル間での輝度差がキャンセルされたうえで、かつ、画素間での輝度レベル差がキャンセルされるようにして行われるべきものとなる。
そして、このようにして設定した各セルの輝度レベルに応じて、１フィールド分の補正用輝度パターン（サブフィールドパターンの組み合わせ）が設定されることになる。つまり、各サブフィールドにおいて発光させるべきセルの設定が行われる。
【００８２】
次ステップＳ３０３においては、上記のようにして生成された補正用輝度パターンにより１フィールド分の画像を表示させるための制御を実行する。そして、このフィールド画像の表示に伴い、次のステップＳ３０４の処理として示すようにして、今回のフィールド画像の表示により、各セルに印加したとされる有効サステインパルス数を、これまでの起動後累積有効パルス数に加算するようにして、ＲＡＭ１６に保持されている起動後累積有効パルス数を更新する。そして、この処理が終了したらステップＳ３０１の処理に戻るようにされる。
このような、ステップＳ３０１〜Ｓ３０４までの処理、例えばフィールド周期ごとに繰り返されることで、その都度表示されるフィールド画像としては、画素内のＲ，Ｇ，Ｂの輝度レベル差、及び画素間での輝度レベル差がキャンセルされた画像となる。この結果、焼き付けによる輝度むら、色合いのむらが補正された画像を定常的に表示されていることになる。
【００８３】
このようにして本実施の形態では、補正表示としての形態がバーニング、又はリアルタイム的な画像表示制御であるとにかかわらず、各セルの有効サステインパルス数に基づいて、補正表示を実行するようにしている。
ここで、比較として、従来においては入力された映像信号が示す輝度レベルに基づいて各セルの蛍光体層の累積発光時間を求め、この累積発光時間に応じて焼き付き補正のための補正表示を実行するように構成されたものが知られている。
しかしながら、前述もしているように、例えばＰＬＥ制御などが行われる場合には、映像信号が示す輝度レベルと、実際の累積発光時間との間にはずれが生じることになり、従って、常に正確な焼き付き補正のための補正表示が実行できることにはならない。
これに対して本実施の形態では、実際にセルに印加される有効サステインパルス数に基づいて補正表示を実行することとしている。このため、例えばＰＬＥ制御によって映像信号が示す同一の輝度レベルであっても、実際に設定される輝度レベル（発光時間）が変換されるような場合であっても、有効サステインパルス数を基としている以上、常に正確な各セルの累積発光時間に対応する情報を取得できることになる。このため、実際の焼き付きの度合いに応じた、より高い忠実性で以て、焼き付き補正表示が行われることになる。
【００８４】
また、他の従来の焼き付き対策である、画素ずらし、輝度抑制による表示、及び全白バーニングなどと比較した場合においても、本実施の形態としての補正表示は、表示品位の低下はなく、また、バーニングの結果として、輝度むらの修正が不十分となるような不都合もない。
【００８５】
なお、本実施の形態としては、例えば図１０、図１１に示したようなバーニングとしての補正表示、又は図１２に示したような表示画像補正としての補正表示の何れかが実行されるように構成してもよいし、両者が実行可能なように構成してもよい。
また、本発明としては、各セルごとの有効サステインパルス数を基とするのであれば、この有効サステインパルス数を利用しての補正用の輝度パターンを生成するための処理としては、これまでのフローチャートなどにより説明した以外の手法が採用されて構わないものである。
また、本発明は、セル単位での表示がパルス印加による蛍光体の発光を促すものであり、このパルス印加に伴う紫外線照射、若しくはイオン衝突さらには、これ以外であっても、パルス印加に伴う何らかの要因によって蛍光体が劣化する特質を有するディスプレイ装置に対して適用が可能とされる。
【００８６】
【発明の効果】
以上説明したように本発明では、表示セルごとに位置する蛍光体が放電によって励起され、これにより蛍光体から可視光が放射されることで表示が行われるように、ディスプレイパネル部が形成されている。そして、放電用有効パルス（有効サステインパルス）を印加することによって上記放電を発生させるように表示駆動する構成が採られている。
そのうえで本発明では、表示セルごとに上記放電を発生させるための放電用有効パルスの印加数の累積値である累積パルス数を計測して得ることとしており、この表示セルごとの累積パルス数に基づいて、表示セルに対する放電用有効パルスの印加制御を実行するようにしている。
【００８７】
この構成の下で、蛍光体の劣化進行度が放電用有効パルスの印加数に依存するとみなしてよいとした場合には、放電用有効パルスの印加数に基づいて、表示セルごとの蛍光体の劣化進行度を推定することが可能となる。ここで、蛍光体の劣化進行度は、蛍光体から放射される可視光の発光輝度レベルの低下度に対応するから、放電用有効パルスの印加数を基として、蛍光体の発光輝度レベルの低下度を高い精度で推定できることになる。
そして、放電用有効パルスの印加動作について、上記のようにして推定された蛍光体の発光輝度レベルの低下度に基づいて、表示セル間での発光輝度レベル差が補正されるように所要の放電用有効パルスの印加動作となるように制御を行えば、実際の蛍光体の発光輝度レベルの低下度（劣化程度）に対して忠実な補正が行えることになる。
このようにして、本発明では、いわゆる焼き付きによる表示画質の劣化を補正するのにあたり、これまでよりも高品位な補正画質を得ることができる。
【図面の簡単な説明】
【図１】本発明の実施の形態としてのプラズマディスプレイ装置のディスプレイパネルの構造を示す斜視図である。
【図２】実施の形態のプラズマディスプレイ装置の構成を、電極ドライバと電極とにより示す図である。
【図３】実施の形態のディスプレイパネルにおけるＲ，Ｇ，Ｂセルと、画素との関係を示す図である。
【図４】実施の形態で適用されるサブフィールドパターンの例を示す図である。
【図５】サブフィールド方式における電極の駆動（電圧印加）タイミング例を示すタイミングチャート（波形図）である。
【図６】実施の形態のディスプレイパネルにおける表示原理を説明するための、ディスプレイパネルの断面図である。
【図７】実施の形態の補正表示に対応する動作機能を示すブロック図である。
【図８】実施の形態のプラズマディスプレイ装置として、補正表示に対応するハードウェア構成を示すブロック図である。
【図９】実施の形態において、ＲＡＭ又はＥＥＰＲＯＭに保持される起動後累積有効パルス数、又は補正前累積有効パルス数の情報のマッピング構造を概念的に示す説明図である。
【図１０】実施の形態として、ユーザ操作に応じたバーニングによる補正表示を実行するための処理動作例を示すフローチャートである。
【図１１】実施の形態として、バーニングによる補正表示を自動実行するための処理動作例を示すフローチャートである。
【図１２】実施の形態として、画像表示制御による補正表示を実行するための動作の流れを示すフローチャートである。
【符号の説明】
１  表示状態判別部、２  パルスカウント部、３  補正判別部、４  補正表示制御部、５  ディスプレイ部、１０  メインコントローラ、１１  ＥＥＰＲＯＭ、１２  パネルドライバ、１３  ディスプレイコントローラ、１４  ＰＬＥ部、１５  パルス数参照テーブル、１６  ＲＡＭ、３０（３０Ｒ，３０Ｇ，３０Ｂ）（Ｒ，Ｇ，Ｂ）セル、３１  画素、１０１  前面ガラス基板、１０２  サステイン電極、１０２Ａ  電極Ｘ、１０２Ｂ  電極Ｙ、１０２ａ  透明導電膜、１０２ｂ  金属膜、１０３  誘電体層、１０４  保護膜、１０５  背面ガラス基板、１０６  隔壁、１０７  アドレス電極、１０８（１０８Ｒ，１０８Ｇ，１０８Ｂ）  （Ｒ，Ｇ，Ｂ）蛍光体層、１０９  放電空間
【図１】
2004240101.tif 000003
【図２】
2004240101.tif 000004
【図３】
2004240101.tif 000005
【図４】
2004240101.tif 000006
【図５】
2004240101.tif 000007
【図６】
2004240101.tif 000008
【図７】
2004240101.tif 000009
【図８】
2004240101.tif 000010
【図９】
2004240101.tif 000011
【図１０】
2004240101.tif 000012
【図１１】
2004240101.tif 000013
【図１２】
2004240101.tif 000014
【手続補正書】
【提出日】平成15年12月26日(2003.12.26)
【手続補正１】
【補正対象書類名】明細書
【補正対象項目名】００５１
【補正方法】変更
【補正の内容】
【００５１】
本実施の形態の累積有効サステインパルス数は、表示補正のために利用されるものであるが、この際には、セル間の蛍光体層１０８の劣化度合いの相対的な差に応じた補正を行うことになる。つまり、累積有効サステインパルス数の差に応じた補正となる。従って、上記のようにして、累積有効サステインパルス数の差としての情報を起動後累積有効パルス数として扱って格納したとしても、この情報を参照しての補正動作に支障はない。
また、ＲＡＭ１６に対して起動後累積有効パルス数として、単純に実際の累積値を格納する場合よりも、例えば、各セル位置ごとの累積有効パルス数を表現するためのビット数（データサイズ）を小さなものとすることができるので、ＲＡＭ１６の記憶容量を節約して使用することが可能になる。


【手続補正２】
【補正対象書類名】明細書
【補正対象項目名】００６１
【補正方法】変更
【補正の内容】
【００６１】
ステップＳ１０５においては、現在、画像を表示出力中であることに対応して、起動後累積有効パルス数を計測し、この計測結果をＲＡＭ１６に保持させるための処理を実行する。このステップＳ１０５の処理は、図８にて説明したパルスカウント部２としての処理となる。


【手続補正３】
【補正対象書類名】明細書
【補正対象項目名】００６３
【補正方法】変更
【補正の内容】
【００６３】
また、ステップＳ１０１において、例えばメイン電源がオンからオフに切り換えられたとして、ステップＳ１０１において否定の判別結果が得られた場合には、ステップＳ１１３の処理に進む。
ステップＳ１１３では、先に図８においても説明したように、これまでにＲＡＭ１６に書き込まれて保持されている起動後累積有効パルス数の情報と、現在、メインコントローラ１０に読み込まれている、今回の電源起動前の累積有効パルス数の情報である、補正前累積有効パルス数の情報とにより、新規な補正前累積有効パルス数の情報を算出する。そして、次のステップＳ１１４では、ＥＥＰＲＯＭ１１に記憶されている過去の補正前累積有効パルス数の情報を、上記のようにして得られた新規な補正前累積有効パルス数の情報に書き換えるようにして、ＥＥＰＲＯＭ１１への書き込み処理を実行する。


【手続補正４】
【補正対象書類名】明細書
【補正対象項目名】００７１
【補正方法】変更
【補正の内容】
【００７１】
ただし、上記ステップＳ１１２における実際の処理として、この段階では、メインコントローラ１０に読み込まれている補正前累積有効パルス数の情報のみをクリアして、ＥＥＰＲＯＭ１１の補正前累積有効パルス数の情報をクリアしないこととしてもよい。
仮に、今回のステップＳ１１２の処理後において、メイン電源がオフとなる前に再び補正表示を実行すべきことになったとしても、この際には、ステップＳ１０８にて説明したように、ディスプレイコントローラ１３の内部ＲＡＭに保持されている起動後累積有効パルス数の情報が、補正サステインパルス数の算出に用いられるのであり、ＥＥＰＲＯＭ１１の起動後累積有効パルス数の情報は用いられない。
そして、後述するようにして最終的にメイン電源がオフとされたときに、この時点でＲＡＭ１６に保持されている起動後累積有効パルス数の情報に基づいて、ＥＥＰＲＯＭ１１の補正前累積有効パルス数の情報は書き換えが行われることになる。この時点で、ＥＥＰＲＯＭ１１の補正前累積有効パルス数の情報は適正な内容となるものである。